(57)【特許請求の範囲】
【請求項１】
所定の周波数ホッピング系列に基づいた周波数ホッピングをしながら基地局と移動局との間の通信を行う周波数ホッピング通信システムにおいて、
前記移動局は、
周波数ホッピング周期毎に各周波数の干渉波レベルを検出する検出手段と、
前記検出手段が検出した干渉波レベルが所定値を超えた場合に、現周波数ホッピング系列を他の周波数ホッピング系列に変更する制御を行う制御手段と、
を備え、
前記制御手段は、
前記検出手段が検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更する制御を行い、
一方で、前記検出手段が検出した干渉波レベルが所定値を超えた場合であって、かつ他の移動局によって使用されていない周波数ホッピング系列が存在しない場合には、現在使用している周波数ホッピング系列を再選択する制御を行うことを特徴とする周波数ホッピング通信システム。
【請求項２】
所定の周波数ホッピング系列に基づいた周波数ホッピングをしながら基地局と移動局との間の通信を行う周波数ホッピング通信システムにおいて、
前記移動局は、
周波数ホッピング周期毎に各周波数の干渉波レベルを検出する検出手段を備え、
前記基地局は、
前記検出手段が検出した干渉波レベルが所定値を超えた場合に、現周波数ホッピング系列を他の周波数ホッピング系列に変更する制御を行う制御手段を備え、
前記制御手段は、
前記検出手段が検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更する制御を行い、
一方で、前記検出手段が検出した干渉波レベルが所定値を超えた場合であって、かつ他の移動局によって使用されていない周波数ホッピング系列が存在しない場合には、現在使用している周波数ホッピング系列を再選択する制御を行うことを特徴とする周波数ホッピング通信システム。
【請求項３】
所定の周波数ホッピング系列に基づいた周波数ホッピングをしながら基地局と移動局との間の通信を行う周波数ホッピング通信システムにおいて、
前記移動局は、
周波数ホッピング周期毎に各周波数の干渉波レベルを検出する検出手段と、
前記検出手段が検出した干渉波レベルが所定値を超えた場合に、現周波数ホッピング系列を他の周波数ホッピング系列に変更する制御を行う制御手段と、
を備え、
前記基地局は、
予め設定された周波数ホッピング系列群の各周波数ホッピング系列に対する過去の干渉波レベルの履歴を保持する履歴保持手段を備え、
前記制御手段は、
前記検出手段が検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更する制御を行うことを特徴とする周波数ホッピング通信システム。
【請求項４】
所定の周波数ホッピング系列に基づいた周波数ホッピングをしながら基地局と移動局との間の通信を行う周波数ホッピング通信システムにおいて、
前記移動局は、
周波数ホッピング周期毎に各周波数の干渉波レベルを検出する検出手段を備え、
前記基地局は、
前記検出手段が検出した干渉波レベルが所定値を超えた場合に、現周波数ホッピング系列を他の周波数ホッピング系列に変更する制御を行う制御手段と、
予め設定された周波数ホッピング系列群の各周波数ホッピング系列に対する過去の干渉波レベルの履歴を保持する履歴保持手段と、
を備え、
前記制御手段は、
前記検出手段が検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更する制御を行うことを特徴とする周波数ホッピング通信システム。
【請求項５】
所定の周波数ホッピング系列に基づいた周波数ホッピングをしながら基地局と移動局との間の通信を行う周波数ホッピング通信システムにおいて、
前記移動局は、
周波数ホッピング周期毎に各周波数の干渉波レベルを検出する検出手段と、
前記検出手段が検出した干渉波レベルが所定値を超えた場合に、現周波数ホッピング系列を他の周波数ホッピング系列に変更する制御を行う制御手段と、
を備え、
前記制御手段は、
前記検出手段が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更する制御を行うことを特徴とする周波数ホッピング通信システム。
【請求項６】
所定の周波数ホッピング系列に基づいた周波数ホッピングをしながら基地局と移動局との間の通信を行う周波数ホッピング通信システムにおいて、
前記移動局は、
周波数ホッピング周期毎に各周波数の干渉波レベルを検出する検出手段を備え、
前記基地局は、
前記検出手段が検出した干渉波レベルが所定値を超えた場合に、現周波数ホッピング系列を他の周波数ホッピング系列に変更する制御を行う制御手段を備え、
前記制御手段は、
前記検出手段が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更する制御を行うことを特徴とする周波数ホッピング通信システム。
【請求項７】
所定の周波数ホッピング系列に基づいた周波数ホッピングをしながら基地局と移動局との間の通信を行う周波数ホッピング通信方法において、
前記移動局は、
周波数ホッピング周期毎に各周波数の干渉波レベルを検出する検出工程と、
前記検出工程によって検出した干渉波レベルが所定値を超えた場合に、現周波数ホッピング系列を他の周波数ホッピング系列に変更する変更工程と、
を含み、
前記変更工程では、
前記検出工程にて検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更し、
一方で、前記検出工程にて検出した干渉波レベルが所定値を超えた場合であって、かつ他の移動局によって使用されていない周波数ホッピング系列が存在しない場合には、現在使用している周波数ホッピング系列を再選択することを特徴とする周波数ホッピング通信方法。
【請求項８】
所定の周波数ホッピング系列に基づいた周波数ホッピングをしながら基地局と移動局との間の通信を行う周波数ホッピング通信方法において、
前記移動局が周波数ホッピング周期毎に各周波数の干渉波レベルを検出する検出工程と、
前記基地局が、前記検出工程によって検出された干渉波レベルが所定値を超えた場合に、現周波数ホッピング系列を他の周波数ホッピング系列に変更する変更工程と、
を含み、
前記変更工程では、
前記検出工程にて検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更し、
一方で、前記検出工程にて検出した干渉波レベルが所定値を超えた場合であって、かつ他の移動局によって使用されていない周波数ホッピング系列が存在しない場合には、現在使用している周波数ホッピング系列を再選択することを特徴とする周波数ホッピング通信方法。
【請求項９】
所定の周波数ホッピング系列に基づいた周波数ホッピングをしながら基地局と移動局との間の通信を行う周波数ホッピング通信方法において、
前記移動局は、
周波数ホッピング周期毎に各周波数の干渉波レベルを検出する検出工程と、
前記検出工程によって検出した干渉波レベルが所定値を超えた場合に、現周波数ホッピング系列を他の周波数ホッピング系列に変更する変更工程と、
を含み、
前記基地局は、
予め設定された周波数ホッピング系列群の各周波数ホッピング系列に対する過去の干渉波レベルの履歴を保持する履歴保持工程を含み、
前記変更工程では、
前記検出工程にて検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更することを特徴とする周波数ホッピング通信方法。
【請求項１０】
所定の周波数ホッピング系列に基づいた周波数ホッピングをしながら基地局と移動局との間の通信を行う周波数ホッピング通信方法において、
前記移動局は、
周波数ホッピング周期毎に各周波数の干渉波レベルを検出する検出工程を含み、
前記基地局は、
前記検出工程によって検出された干渉波レベルが所定値を超えた場合に、現周波数ホッピング系列を他の周波数ホッピング系列に変更する変更工程と、
予め設定された周波数ホッピング系列群の各周波数ホッピング系列に対する過去の干渉波レベルの履歴を保持する履歴保持工程と、
を含み、
前記変更工程では、
前記検出工程にて検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更することを特徴とする周波数ホッピング通信方法。
【請求項１１】
所定の周波数ホッピング系列に基づいた周波数ホッピングをしながら基地局と移動局との間の通信を行う周波数ホッピング通信方法において、
前記移動局は、
周波数ホッピング周期毎に各周波数の干渉波レベルを検出する検出工程と、
前記検出工程によって検出した干渉波レベルが所定値を超えた場合に、現周波数ホッピング系列を他の周波数ホッピング系列に変更する変更工程と、
を含み、
前記変更工程では、
前記検出工程にて検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更することを特徴とする周波数ホッピング通信方法。
【請求項１２】
所定の周波数ホッピング系列に基づいた周波数ホッピングをしながら基地局と移動局との間の通信を行う周波数ホッピング通信方法において、
前記移動局が周波数ホッピング周期毎に各周波数の干渉波レベルを検出する検出工程と、
前記基地局が、前記検出工程によって検出された干渉波レベルが所定値を超えた場合に、現周波数ホッピング系列を他の周波数ホッピング系列に変更する変更工程と、
を含み、
前記変更工程では、
前記検出工程にて検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更することを特徴とする周波数ホッピング通信方法。
【発明の詳細な説明】
【０００１】
【発明の属する技術分野】
この発明は、スペクトル拡散通信方式を用いた移動通信システムに関し、特に所定の周波数ホッピング系列に基づいた周波数ホッピングをしながら基地局と移動局との間の通信を行う周波数ホッピング通信システムに関するものである。
【０００２】
【従来の技術】
従来から、スペクトル拡散通信方式の一つとして周波数ホッピング通信方式が知られている。図８は、従来の周波数ホッピング通信システムの全体概要を示す図である。図８において、移動局１１０は、固定設置された基地局１２０との間で、周波数ホッピング通信方式を用いて通信を行う。無線セル３０は、基地局１２０によって形成され、基地局１２０と移動局１１０との間でデータの送受信が行われる範囲を示している。図８に示す周波数ホッピング通信システムでは、７つのセル繰り返しの構成をとり、７つの周波数群によって全サービスエリアを覆える。図８に示した斜線部分の領域が、繰り返しエリアであり、この繰り返しの単位となるセル数を繰り返しセル数という。
【０００３】
繰り返しエリア内の全ての移動局１１０および各基地局１２０は、各基地局１２０に接続される図示しない集中制御局によって管理され、この集中制御局は、予め設定した周波数ホッピング系列を各基地局１２０に指定する。この指定を受けた各基地局１２０は、移動局１１０に対して周波数を指定し、一定のホッピング周期で周波数ホッピングを行う。これによって、繰り返しエリア内の全ての移動局１１０に対して、同一周波数干渉電力の分散化を図ることができる。
【０００４】
図９は、一つの無線セル３０に対して周波数ｆ１，ｆ２，ｆ３が指定された場合のホッピング系列Ｃ１〜Ｃ６を示している。たとえば、図８のセル「Ａ」に周波数ｆ１〜ｆ３が指定され、セル「Ｂ」に同じ周波数ｆ１〜ｆ３が指定されると、セル「Ａ」内の三つの移動局ｍ１〜ｍ３は、それぞれホッピング系列Ｃ１〜Ｃ３を用いて周波数ホッピングを行う。また、セル「Ｂ」内の三つの移動局ｍ４〜ｍ６は、それぞれホッピング系列Ｃ４〜Ｃ６を用いて周波数ホッピングを行う。
【０００５】
図１０は、セル「Ａ」内の各移動局ｍ１〜ｍ３の周波数ホッピング状態を示すタイミングチャートである。移動局ｍ１は、スロットＳ１〜Ｓ３を出力する場合、それぞれ周波数ｆ１，ｆ２，ｆ３を用い、移動局ｍ２は、スロットＳ１〜Ｓ３を出力する場合、それぞれ周波数ｆ２，ｆ３，ｆ１を用い、移動局ｍ３は、スロットＳ１〜Ｓ３を出力する場合、それぞれ周波数ｆ３，ｆ２，ｆ２を用いる。なお、スロットＳ１〜Ｓ３には、音声などの原データを分割し、ヘッダなどを付加したデータが配置される。これによって、セル「Ａ」内の各移動局ｍ１〜ｍ３は、それぞれ同一時間において互いに同じ周波数が割り当てられることがない。
【０００６】
一方、セル「Ｂ」の各移動局ｍ４〜ｍ６には、同様にしてそれぞれホッピング系列Ｃ４〜Ｃ６が割り当てられる。この結果、セル「Ａ」内の移動局ｍ１〜ｍ３が、セル「Ｂ」内の移動局ｍ４〜ｍ６によって受ける同一周波数干渉電力は、３スロットに一度となる。
【０００７】
このようにして、干渉の影響を強く受けている移動局は、周波数ダイバーシチ効果によって所要希望波対同一周波数干渉電力比を低減することができる。このような周波数ホッピング通信システムは、たとえば、特開平５−１１０４９９号公報に示された移動通信方式や特開平６−３３４６３０号公報に示されたスペクトル拡散通信方法に記載さている。
【０００８】
図１１は、従来の周波数ホッピング通信システムの移動局の構成を示すブロック図である。図１１において、受信信号３ｒは、基地局１２０から受信する下り信号であり、アンテナ１および切換部ＳＷを介して受信部３に入力される。受信部３は、シンセサイザ５からの受信周波数データ５ｒをもとに、この受信信号３ｒを復調し、受信スロットデータ４ｒを送受信データ処理部４に出力する。送受信データ処理部４は、この受信スロットデータ４ｒを分解し、受信データ４ｏを出力する。また、送受信データ処理部４は、受信スロットデータ４ｒから周波数ホッピング系列データ９ｒを抽出する。さらに、送受信データ処理部４は、シンセサイザ部５にタイミング信号４ｇを出力する。
【０００９】
一方、送信データ４ｉは送受信データ処理部４に入力され、送受信データ処理部４は、送信スロットデータ４ｔを生成して送信部２に出力する。送受信データ処理部４から出力された周波数ホッピング系列データ９ｒは、制御部９に入力される。制御部９は、入力された周波数ホッピング系列データ９ｒに基づいて、周波数ホッピング系列およびホッピングするホッピング周波数を決定する。そして、制御部９は、決定したホッピング周波数をシンセサイザ部５に周波数データ９ｔとして通知する。
【００１０】
シンセサイザ部５は、入力された周波数データ９ｔおよびタイミング信号４ｇをもとに、ホッピング周波数を切替生成するために、送信周波数データ５ｔを送信部２に出力し、あるいは受信周波数データ５ｒを受信部３に出力する。
【００１１】
送受信データ処理部４から出力された送信スロットデータ４ｔは、送信部２に出力され、送信部２は、入力された送信スロットデータ４ｔを、送信周波数データ５ｔによって変調し、送信信号２ｔを切換部ＳＷおよびアンテナ１を介して基地局１２０に出力する。なお、切換部ＳＷは、制御部９によって送受信が切り替えられる。
【００１２】
【発明が解決しようとする課題】
しかしながら、上述した周波数ホッピング通信システムは、移動局１１０の受信状態に関係なく、初期設定で指定された周波数ホッピング系列を通信終了時まで常に使用し続けて周波数ホッピングを行うため、受信状態が劣化したホッピング周波数を使用しているスロットが存在する場合、周波数ホッピングの周期毎に、受信状態が劣化するという問題点があった。
【００１３】
この発明は上記に鑑みてなされたもので、受信状態が劣化したホッピング周波数を使用するスロットが存在する場合に、適切に周波数ホッピング系列を変更し、通信品質の劣化を防ぐことができる周波数ホッピング通信システムおよびその方法を得ることを目的とする。
【００１４】
【課題を解決するための手段】
上記目的を達成するため、この発明にかかる周波数ホッピング通信システムは、所定の周波数ホッピング系列に基づいた周波数ホッピングをしながら基地局と移動局との間の通信を行う周波数ホッピング通信システムにおいて、前記移動局は、周波数ホッピング周期毎に各周波数の干渉波レベルを検出する検出手段と、前記検出手段が検出した干渉波レベルが所定値を超えた場合に、現周波数ホッピング系列を他の周波数ホッピング系列に変更する制御を行う制御手段と、を備えたことを特徴とする。
【００１５】
この発明によれば、移動局の検出手段が、周波数ホッピング周期毎に各周波数の干渉波レベルを検出し、制御手段が、前記検出手段が検出した干渉波レベルが所定値を超えた場合に、現周波数ホッピング系列を他の周波数ホッピング系列に変更する制御を行うようにしている。
【００１６】
つぎの発明にかかる周波数ホッピング通信システムは、所定の周波数ホッピング系列に基づいた周波数ホッピングをしながら基地局と移動局との間の通信を行う周波数ホッピング通信システムにおいて、前記移動局は、周波数ホッピング周期毎に各周波数の干渉波レベルを検出する検出手段を備え、前記基地局は、前記検出手段が検出した干渉波レベルが所定値を超えた場合に、現周波数ホッピング系列を他の周波数ホッピング系列に変更する制御を行う制御手段を備えたことを特徴とする。
【００１７】
この発明によれば、移動局の検出手段が、周波数ホッピング周期毎に各周波数の干渉波レベルを検出し、基地局の制御手段が、前記検出手段が検出した干渉波レベルが所定値を超えた場合に、現周波数ホッピング系列を他の周波数ホッピング系列に変更する制御を行うようにしている。
【００１８】
つぎの発明にかかる周波数ホッピング通信システムは、上記の発明において、前記制御手段は、前記検出手段が検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更する制御を行うことを特徴とする。
【００１９】
この発明によれば、前記制御手段が、前記検出手段が検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更する制御を行うようにしている。
【００２０】
つぎの発明にかかる周波数ホッピング通信システムは、上記の発明において、前記基地局は、予め設定された周波数ホッピング系列群の各周波数ホッピング系列に対する過去の干渉波レベルの履歴を保持する履歴保持手段をさらに備え、前記制御手段は、前記検出手段が検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更する制御を行うことを特徴とする。
【００２１】
この発明によれば、前記制御手段が、前記検出手段が検出した干渉波レベルが所定値を超えた場合に、前記干渉波レベルの履歴を参照し、現周波数ホッピング系列を、前記他の移動局が現在用いていない周波数ホッピング系列であって、かつ前記周波数ホッピング系列群の中から干渉波レベルが最小の周波数ホッピング系列に変更する制御を行うようにしている。
【００２２】
つぎの発明にかかる周波数ホッピング通信システムは、上記の発明において、前記制御手段は、前記検出手段が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更する制御を行うことを特徴とする。
【００２３】
この発明によれば、前記制御手段が、前記検出手段が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更する制御を行うようにしている。
【００２４】
つぎの発明にかかる周波数ホッピング通信方法は、所定の周波数ホッピング系列に基づいた周波数ホッピングをしながら基地局と移動局との間の通信を行う周波数ホッピング通信方法において、前記移動局は、周波数ホッピング周期毎に各周波数の干渉波レベルを検出する検出工程と、前記検出工程によって検出した干渉波レベルが所定値を超えた場合に、現周波数ホッピング系列を他の周波数ホッピング系列に変更する変更工程と、を含むことを特徴とする。
【００２５】
この発明によれば、前記移動局が、検出工程によって、周波数ホッピング周期毎に各周波数の干渉波レベルを検出し、変更工程によって、前記検出工程によって検出した干渉波レベルが所定値を超えた場合に、現周波数ホッピング系列を他の周波数ホッピング系列に変更するようにしている。
【００２６】
つぎの発明にかかる周波数ホッピング通信方法は、所定の周波数ホッピング系列に基づいた周波数ホッピングをしながら基地局と移動局との間の通信を行う周波数ホッピング通信方法において、前記移動局が周波数ホッピング周期毎に各周波数の干渉波レベルを検出する検出工程と、前記基地局が、前記検出手段によって検出された干渉波レベルが所定値を超えた場合に、現周波数ホッピング系列を他の周波数ホッピング系列に変更する変更工程と、を含むことを特徴とする。
【００２７】
この発明によれば、検出工程によって、前記移動局が周波数ホッピング周期毎に各周波数の干渉波レベルを検出し、変更工程によって、前記基地局が、前記検出手段によって検出された干渉波レベルが所定値を超えた場合に、現周波数ホッピング系列を他の周波数ホッピング系列に変更するようにしている。
【００２８】
つぎの発明にかかる周波数ホッピング通信方法は、上記の発明において、前記変更工程は、前記検出手段が検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更することを特徴とする。
【００２９】
この発明によれば、前記変更工程が、前記検出工程によって検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更するようにしている。
【００３０】
つぎの発明にかかる周波数ホッピング通信方法は、上記の発明において、前記基地局が、予め設定された周波数ホッピング系列群の各周波数ホッピング系列に対する過去の干渉波レベルの履歴を保持する履歴保持工程をさらに含み、前記変更工程は、前記検出工程段が検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更することを特徴とする。
【００３１】
この発明によれば、履歴保持工程によって、前記基地局が、予め設定された周波数ホッピング系列群の各周波数ホッピング系列に対する過去の干渉波レベルの履歴を保持し、前記変更工程によって、前記検出工程段が検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更するようにしている。
【００３２】
つぎの発明にかかる周波数ホッピング通信方法は、上記の発明において、前記変更工程は、前記検出工程が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更することを特徴とする。
【００３３】
この発明によれば、前記変更工程によって、前記検出工程が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更するようにしている。
【００３４】
【発明の実施の形態】
以下に添付図面を参照して、この発明にかかる周波数ホッピング通信システムおよびその方法の好適な実施の形態を詳細に説明する。
【００３５】
実施の形態１．
図１は、この発明の実施の形態１である周波数ホッピング通信システムの概要を示す図であり、図８に示した周波数ホッピング通信システムに対応している。ただし、移動局１１０に対応する移動局１０あるいは基地局１２０に対応する基地局２０の構成が異なる。
【００３６】
図１において、各無線セル３０は、対応する基地局２０を中心とし、基地局２０と移動局１０との間でデータの送受信が行われる範囲を示す。移動局１０は、周波数ホッピングの周期毎に測定する干渉波レベルが、所定のレベルを超える場合、現在使用している周波数ホッピング系列を変更し、所定のレベルを超えない場合、現在使用している周波数ホッピング系列を変更しない。すなわち、この実施の形態１では、移動局は、周波数ホッピング周期毎に干渉波レベルを測定し、この干渉波レベルに基づいて、現在使用する周波数ホッピング系列を変更するか否かを決定するようにしている。
【００３７】
ここで、セル「Ａ」およびセル「Ｂ」に、４つのホッピング周波数Ｆ１，Ｆ２，Ｆ３，Ｆ４が与えられた場合における各セル「Ａ」，「Ｂ」に与えられる周波数ホッピング系列Ｚ１〜Ｚ７について説明する。なお、セル「Ａ」内には、移動局Ｍ１，Ｍ２が存在し、セル「Ｂ」内には、移動局Ｍ３が存在するものとする。
【００３８】
図２において、周波数ホッピング系列Ｚ１〜Ｚ３は、それぞれ移動局Ｍ１〜Ｍ３に割り当てられる。なお、具体的な周波数ホッピング系列Ｚ１〜Ｚ４は、それぞれ、「Ｆ１→Ｆ２→Ｆ３→Ｆ４」，「Ｆ２→Ｆ３→Ｆ４→Ｆ１」，「Ｆ３→Ｆ１→Ｆ２→Ｆ４」，「Ｆ４→Ｆ２→Ｆ１→Ｆ３」である。各移動局Ｍ１〜Ｍ３は、変更指示がない限り、割り当てられた周波数ホッピング系列Ｚ１〜Ｚ３を繰り返し用いる。なお、一つの周波数ホッピング系列が用いられる時間を周波数ホッピング周期という。
【００３９】
ここで、セル「Ｂ」の基地局２０から出力されたデータが、スロットＳ４のタイミングで、各移動局Ｍ１〜Ｍ３に受信され、セル「Ａ」の基地局２０から出力されたデータが、スロットＳ４のタイミングで各移動局Ｍ１〜Ｍ３に受信される場合を考えると、セル「Ａ」の移動局Ｍ１が使用している周波数Ｆ４は、セル「Ｂ」の移動局Ｍ３が使用している周波数Ｆ４と同じであるため、移動局Ｍ１は、セル「Ｂ」の基地局２０から強い干渉波を受信する可能性がある。移動局Ｍ１は、スロットＳ４における干渉波レベルが所定値を超えている場合、現在使用している周波数ホッピング系列Ｚ１を周波数ホッピング系列Ｚ４に変更する。
【００４０】
一方、移動局Ｍ２が使用している周波数ホッピング系列Ｚ２は、各スロットＳ１〜Ｓ４のタイミングで使用している各周波数Ｆ１〜Ｆ４と、移動局Ｍ１，Ｍ３がそれぞれ各スロットＳ１〜Ｓ４のタイミングで使用している各周波数Ｆ１〜Ｆ４とは異なるため、移動局Ｍ２は、セル「Ａ」およびセル「Ｂ」の各基地局から強い干渉波を受信している可能性が低い。移動局Ｍ２は、このときの干渉波レベルが所定値を超えていない場合、現在使用している周波数ホッピング系列を変更せずに、そのまま繰り返し使用し続ける。
【００４１】
なお、移動局Ｍ１が干渉波レベルが所定値を超えたことによって周波数ホッピング系列Ｚ１を周波数ホッピング系列Ｚ４に変更した場合、セル「Ａ」の基地局２０は、その旨を各基地局２０を管理する図示しない集中制御局に通知する。この通知を受けた集中制御局は、セル「Ａ」およびセル「Ｂ」の基地局２０を介し、各移動局Ｍ２，Ｍ３に対して、次回、周波数ホッピング系列を変更する場合、移動局Ｍ１が使用する周波数ホッピング系列Ｚ４とは異なる周波数ホッピング系列を周波数ホッピング系列Ｚ１〜Ｚ７の中から割り当てることを通知する。なお、周波数ホッピング系列Ｚ１〜Ｚ７は、各移動局Ｍ１〜Ｍ３が同一時間に同一周波数が使用されることがないように作成される。
【００４２】
ここで、図３を参照して各移動局１０（Ｍ１〜Ｍ３）について説明する。図３は、この発明の実施の形態１である周波数ホッピング通信システムの移動局の構成を示すブロック図である。図３に示した移動局は、図１１に示した移動局に、さらに干渉波レベル検出部６を設けた構成としている。その他構成は、図１１に示した構成と同じであり、同一構成部分には同一符号を付している。なお、制御部９の動作処理は、図１１に示した制御部９と異なる。
【００４３】
干渉波レベル検出部６は、受信部３から入力される干渉波レベル情報６ｒに基づき、移動局の干渉波レベルを検出し、検出結果を干渉波レベル検出データ６ｔとして制御部９に出力する。制御部９は、入力された干渉波レベル検出データ６ｔをもとに、検出された干渉波レベルが、予め設定された所定値を超えるか否かの判定を行い、干渉波レベルが所定値を超えている場合、新たな周波数ホッピング系列を選択し、この選択した周波数ホッピング系列に変更する指示を周波数ホッピング系列変更信号９ｇとして送受信データ処理部４に出力する。一方、干渉波レベルが所定値を超えていない場合、制御部９は、現在の周波数ホッピング系列を継続して使用する。
【００４４】
周波数ホッピング系列変更信号９ｇが、送受信データ処理部４、送信部２、切換部ＳＷ、およびアンテナ１を介して基地局２０に通知する。送受信データ処理部４は、周波数ホッピング系列変更信号９ｇに対する応答として周波数ホッピング系列データ９ｒを制御部９に出力する。制御部９は、周波数ホッピング系列データ９ｒをもとに、周波数データ９ｔを決定し、シンセサイザ部５に出力し、変更された周波数ホッピング系列に変更される。なお、シンセサイザ部５は、送受信データ処理部４から出力されるタイミング信号４ｇをもとに、各周波数の切替タイミングを制御する。
【００４５】
ここで、図４に示すフローチャートを参照して、移動局１０の制御部９による周波数ホッピング系列変更制御処理手順について説明する。図４において、まず、制御部９は、干渉波レベル検出部６から入力された干渉波レベル検出データ６ｔおよび送受信データ処理部４から入力された周波数ホッピング系列データ９ｒが入力され、周波数ホッピング系列データ９ｒをもとに、周波数ホッピング系列を選択する（ステップＳ１０１）。
【００４６】
その後、干渉波レベル検出データ６ｔが示す干渉波レベルが所定値を超えているか否かを判断する（ステップＳ１０２）。干渉波レベルが所定値を超えている場合（ステップＳ１０２，ＹＥＳ）には、つぎの周波数ホッピング周期の先頭から使用する新たな周波数ホッピング系列を選択し、この選択した周波数ホッピング系列を示す周波数ホッピング系列変更信号９ｇを送受信データ処理部４に出力する（ステップＳ１０３）。
【００４７】
その後、送受信データ処理部４から入力された周波数ホッピング系列データ９ｒをもとに、選択した周波数ホッピング系列によってホッピング周波数を決定し、このホッピング周波数を示す周波数データ９ｔをシンセサイザ部５に出力し（ステップＳ１０４）、新たな周波数ホッピング系列によって送受信処理が行われる。
【００４８】
一方、干渉波レベルが所定値を超えていない場合（ステップＳ１０３，ＮＯ）には、現在使用している周波数ホッピング系列をそのまま用い、この現在の周波数ホッピング系列に対応する周波数データ９ｔをシンセサイザ部５に出力する（ステップＳ１０４）。
【００４９】
なお、上述した実施の形態１では、移動局１０が検出した干渉波レベルをもとに、移動局１０が、周波数ホッピング系列の変更を行うようにしているが、移動局１０が、干渉波レベルの検出結果を基地局２０に通知し、基地局２０側が、この検出結果をもとに周波数ホッピング系列の変更を行うようにしてもよい。さらに、移動局１０が、干渉波レベルの検出結果を基地局２０に通知し、基地局２０側が、この検出結果をもとに周波数ホッピング系列を変更するか否かを判断するようにしてもよい。
【００５０】
この実施の形態１では、移動局１０または基地局２０が、移動局１０が受信する干渉波レベルをもとに、移動局１０および基地局２０の間で使用している周波数ホッピング系列を変更するか否かを判断し、干渉波レベルが所定値を超える場合、現在の周波数ホッピング系列を変更し、干渉波レベルが所定値を超えていない場合、現在の周波数ホッピング系列をそのまま使用するようにしているため、受信するホッピング周波数の干渉波レベルが大きい移動局１０では、周波数ホッピング系列が変更され、品質の高い通信を行うことができ、受信するホッピング周波数の干渉波レベルが小さい移動局１０では、引き続き安定した品質の通信を行うことができる。
【００５１】
この場合、受信する干渉波レベルが大きい移動局１０に対して、周波数ホッピング系列が変更されるため、一層高い周波数ダイバーシチ効果を得ることができ、所要希望波対同一周波数干渉電力比を向上させることができ、一層、高い受信レベルでの通信を行うことが可能となり、品質および信頼性の高い通信を行うことができる。
【００５２】
実施の形態２．
つぎに、この発明の実施の形態２について説明する。この実施の形態２では、ホッピング周波数の干渉波レベルが大きい場合、周波数ホッピング系列群のうちから、他の移動局が用いておらず、周波数ホッピング系列番号が最も小さい値をもつ周波数ホッピング系列に変更するようにしている。
【００５３】
この実施の形態２のシステム構成および移動局あるいは基地局の構成は、実施の形態１と同じである。ただし、制御部９の動作処理が異なる。ここで、図５に示すフローチャートを参照して、この実施の形態２における移動局１０の制御部９による周波数ホッピング系列変更制御処理手順について説明する。
【００５４】
図５において、まず制御部９は、周波数ホッピング系列データ９ｒをもとに、周波数ホッピング系列番号ｉ＝０の値をもつ周波数ホッピング系列を選択する（ステップＳ２０１）。その後、制御部９は、選択された周波数ホッピング系列番号ｉに対応する周波数ホッピング系列が他の移動局で使用されているか否かを判断する（ステップＳ２０２）。
【００５５】
周波数ホッピング系列番号ｉに対応する周波数ホッピング系列が他の移動局で使用されている場合（ステップＳ２０２，ＹＥＳ）には、周波数ホッピング系列番号ｉの値を一つインクリメントし（ステップＳ２０３）、このインクリメントされた周波数ホッピング系列番号ｉ（＝ｉ＋１）の値が、周波数ホッピング系列番号数Ｎの値を超えているか否かを判断する（ステップＳ２０４）。
【００５６】
周波数ホッピング系列番号ｉの値が周波数ホッピング系列番号数Ｎの値を超えていない場合（ステップＳ２０４，ＮＯ）には、ステップＳ２０２に移行し、このインクリメントされた周波数ホッピング系列番号ｉが他の移動局で使用されていか否かを再度判断する。一方、周波数ホッピング系列番号ｉの値が周波数ホッピング系列番号数Ｎの値を超えている場合（ステップＳ２０４，ＹＥＳ）には、現在使用している周波数ホッピング系列番号ｉを再び選択し（ステップＳ２０５）、ステップＳ２０６に移行する。
【００５７】
一方、周波数ホッピング系列番号ｉの値が他の移動局で使用していない場合（ステップＳ２０２，ＮＯ）には、選択された周波数ホッピング系列番号ｉに対応する周波数ホッピング系列に変更する指示を示す周波数ホッピング系列番号変更信号９ｇを送受信データ処理部４に出力し（ステップＳ２０６）、その後この周波数ホッピング系列に変更する。
【００５８】
なお、上述した実施の形態２では、移動局１０が検出した干渉波レベルをもとに、移動局１０が、周波数ホッピング系列の変更を行うようにしているが、移動局１０が、干渉波レベルの検出結果を基地局２０に通知し、基地局２０側が、この検出結果をもとに周波数ホッピング系列の変更を行うようにしてもよい。さらに、移動局１０が、干渉波レベルの検出結果を基地局２０に通知し、基地局２０側が、この検出結果をもとに周波数ホッピング系列を変更するか否かを判断するようにしてもよい。
【００５９】
この実施の形態２では、干渉波レベルに基づいて変更する周波数ホッピング系列として、周波数ホッピング系列番号の最も小さい値をもち、かつ他の移動局で使用されていない周波数ホッピング系列を選択するようにしているため、移動局１０は、一層、高い周波数ダイバーシチ効果を得ることができ、所要希望波対同一周波数干渉電力比を向上することができ、一層高い受信レベルでの通信を行うことができ、品質および信頼性の高い通信を行うことができる。
【００６０】
また、変更しようとする周波数ホッピング系列が、全ての他の移動局１０によって使用されている場合には、再び現在使用している周波数ホッピング系列を選択するようにしているため、干渉波レベルの増大を抑えることができ、所要希望波対同一周波数干渉電力比を向上させ、一層高い受信レベルでの通信を行うことが可能となり、品質および信頼性の高い通信を維持することができる。
【００６１】
実施の形態３．
つぎに、この発明の実施の形態３について説明する。上述した実施の形態２では、ホッピング周波数の干渉波レベルが大きい場合、周波数ホッピング系列群のうちから、他の移動局が用いておらず、周波数ホッピング系列番号が最も小さい値をもつ周波数ホッピング系列を選択して変更するようにしていたが、この実施の形態３では、過去の履歴をもとに最も干渉波レベルが低い周波数ホッピング系列を選択するようにしている。
【００６２】
この実施の形態３のシステム構成および移動局あるいは基地局の構成は、実施の形態１と同じである。ただし、制御部９の動作処理が異なる。ここで、図６に示すフローチャートを参照して、この実施の形態３における移動局１０の制御部９による周波数ホッピング系列変更制御処理手順について説明する。
【００６３】
図６において、まず制御部９は、以前に周波数ホッピング系列の干渉波レベルを測定したか否か、すなわち基地局２０が周波数ホッピング系列の干渉波レベルに関する過去の履歴を有しているか否かを判断する（ステップＳ３０１）。干渉波レベルの過去の履歴を有している場合（ステップＳ３０１，ＹＥＳ）には、この過去の履歴をもとに、干渉波レベルが最も低い周波数ホッピング系列をもつ周波数ホッピング系列番号ｉを選択する（ステップＳ３０２）。
【００６４】
その後、選択した周波数ホッピング系列番号ｉに対応する周波数ホッピング系列が他の移動局で使用されているか否かを判断する（ステップＳ３０３）。周波数ホッピング系列番号ｉに対応する周波数ホッピング系列が他の移動局で使用されている場合（ステップＳ３０３，ＹＥＳ）には、そのつぎに干渉波レベルの低い異周波数ホッピング系列番号ｉの値をもつ周波数ホッピング系列を選択し（ステップＳ３０４）、この選択した周波数ホッピング系列番号ｉの値をもつ周波数ホッピング系列が最も干渉波レベルの高い周波数ホッピング系列であるか否かを判断する（ステップＳ３０５）。
【００６５】
選択した周波数ホッピング系列が、最も干渉波レベルの高い周波数ホッピング系列でない場合（ステップＳ３０５，ＮＯ）には、ステップ３０３に移行し、この周波数ホッピング系列が他の移動局で使用しているか否かを再度判断する処理を繰り返す。一方、選択した周波数ホッピング系列が、最も干渉波レベルが高い周波数ホッピング系列である場合（ステップＳ３０５，ＹＥＳ）には、現在使用している周波数ホッピング系列番号ｉの周波数ホッピング系列を再び選択し（ステップＳ３０６）、ステップＳ３０８に移行する。
【００６６】
一方、周波数ホッピング系列番号ｉの値が他の移動局で使用していない場合（ステップＳ３０３，ＮＯ）には、選択された周波数ホッピング系列番号ｉに対応する周波数ホッピング系列に変更する指示を示す周波数ホッピング系列番号変更信号９ｇを送受信データ処理部４に出力し（ステップＳ３０８）、その後この周波数ホッピング系列に変更する。
【００６７】
また、過去の履歴がない場合（ステップＳ３０１，ＮＯ）には、周波数ホッピング系列番号ｉを一つインクリメントし（ステップＳ３０７）、ステップＳ３０８に移行し、この一つインクリメントされた周波数ホッピング系列番号ｉ（＝ｉ＋１）に対応する周波数ホッピング系列を選択するようにしている。
【００６８】
なお、上述した実施の形態３では、移動局１０が検出した干渉波レベルをもとに、移動局１０が、周波数ホッピング系列の変更を行うようにしているが、移動局１０が、干渉波レベルの検出結果を基地局２０に通知し、基地局２０側が、この検出結果をもとに周波数ホッピング系列の変更を行うようにしてもよい。さらに、移動局１０が、干渉波レベルの検出結果を基地局２０に通知し、基地局２０側が、この検出結果をもとに周波数ホッピング系列を変更するか否かを判断するようにしてもよい。
【００６９】
この実施の形態３では、干渉波レベルに基づいて変更する周波数ホッピング系列として、過去の履歴をもとに、最も干渉波レベルの低い周波数ホッピング系列であって、かつ他の移動局で使用されていない周波数ホッピング系列を選択するようにしているため、移動局１０は、一層、高い周波数ダイバーシチ効果を得ることができ、所要希望波対同一周波数干渉電力比を向上することができ、一層高い受信レベルでの通信を行うことができ、品質および信頼性の高い通信を行うことができる。
【００７０】
また、過去の履歴がない場合、周波数ホッピング系列番号を一つインクリメントし、このインクリメントされた周波数ホッピング系列番号に対応する周波数ホッピング系列、すなわちランダムな周波数ホッピング系列を選択するようにしているので、移動局１０は、一層、高い周波数ダイバーシチ効果を得ることができ、所要希望波対同一周波数干渉電力比を向上することができ、一層高い受信レベルでの通信を行うことができ、品質および信頼性の高い通信を行うことができる。
【００７１】
さらに、変更しようとする周波数ホッピング系列が、全ての他の移動局１０によって使用されている場合には、再び現在使用している周波数ホッピング系列を選択するようにしているため、干渉波レベルの増大を抑えることができ、所要希望波対同一周波数干渉電力比を向上させ、一層高い受信レベルでの通信を行うことが可能となり、品質および信頼性の高い通信を維持することができる。
【００７２】
実施の形態４．
つぎに、この発明の実施の形態４について説明する。上述した実施の形態３では、ホッピング周波数の干渉波レベルが大きい場合、過去の履歴をもとに、周波数ホッピング系列群のうちから、他の移動局が用いておらず、干渉波レベルが最も低い周波数ホッピング系列を選択して変更するようにしていたが、この実施の形態４では、現在使用している周波数ホッピング系列に最も相関の小さい周波数ホッピング系列を選択するようにしている。
【００７３】
この実施の形態４のシステム構成および移動局あるいは基地局の構成は、実施の形態１と同じである。ただし、制御部９の動作処理が異なる。ここで、図７に示すフローチャートを参照して、この実施の形態４における移動局１０の制御部９による周波数ホッピング系列変更制御処理手順について説明する。
【００７４】
図７において、まず制御部９は、周波数ホッピング系列データ９ｒをもとに、現在使用している周波数ホッピング系列と最も相関が小さい周波数ホッピング系列の周波数ホッピング系列番号ｉを選択する（ステップＳ４０１）。その後、この選択した周波数ホッピング系列番号ｉに対応する周波数ホッピング系列が他の移動局で使用されているか否かを判断する（ステップＳ４０２）。
【００７５】
周波数ホッピング系列が他の移動局で使用されている場合（ステップＳ４０２，ＹＥＳ）には、そのつぎに相関の小さい周波数ホッピング系列である周波数ホッピング系列番号ｉを選択し（ステップＳ４０３）、この選択した周波数ホッピング系列が、最も相関の大きい周波数ホッピング系列であるか否かを判断する（ステップ４０４）。最も相関の大きい周波数ホッピング系列でない場合（ステップＳ４０４，ＮＯ）には、ステップＳ４０２に移行し、この周波数ホッピング系列が他の移動局で使用されているか否かを判断する処理を繰り返す。
【００７６】
一方、選択された周波数ホッピング系列が、最も相関の大きい周波数ホッピング系列である場合（ステップＳ４０４，ＹＥＳ）には、現在使用している周波数ホッピング系列を再び選択し（ステップＳ４０５）、ステップＳ４０６に移行する。
【００７７】
周波数ホッピング系列番号ｉの値が他の移動局で使用していない場合（ステップＳ４０２，ＮＯ）には、選択された周波数ホッピング系列番号ｉに対応する周波数ホッピング系列に変更する指示を示す周波数ホッピング系列番号変更信号９ｇを送受信データ処理部４に出力し（ステップＳ４０６）、その後この周波数ホッピング系列に変更する。
【００７８】
なお、上述した実施の形態４では、移動局１０が検出した干渉波レベルをもとに、移動局１０が、周波数ホッピング系列の変更を行うようにしているが、移動局１０が、干渉波レベルの検出結果を基地局２０に通知し、基地局２０側が、この検出結果をもとに周波数ホッピング系列の変更を行うようにしてもよい。さらに、移動局１０が、干渉波レベルの検出結果を基地局２０に通知し、基地局２０側が、この検出結果をもとに周波数ホッピング系列を変更するか否かを判断するようにしてもよい。
【００７９】
この実施の形態４では、干渉波レベルに基づいて変更する周波数ホッピング系列として、現在使用している周波数ホッピング系列に最も相関が小さい周波数ホッピング系列であって、かつ他の移動局で使用されていない周波数ホッピング系列を選択するようにしているため、移動局１０は、一層、高い周波数ダイバーシチ効果を得ることができ、所要希望波対同一周波数干渉電力比を向上することができ、一層高い受信レベルでの通信を行うことができ、品質および信頼性の高い通信を行うことができる。
【００８０】
また、変更しようとする周波数ホッピング系列が、全ての他の移動局１０によって使用されている場合には、再び現在使用している周波数ホッピング系列を選択するようにしているため、干渉波レベルの増大を抑えることができ、所要希望波対同一周波数干渉電力比を向上させ、一層高い受信レベルでの通信を行うことが可能となり、品質および信頼性の高い通信を維持することができる。
【００８１】
【発明の効果】
以上説明したように、この発明によれば、移動局の検出手段が、周波数ホッピング周期毎に各周波数の干渉波レベルを検出し、制御手段が、前記検出手段が検出した干渉波レベルが所定値を超えた場合に、現周波数ホッピング系列を他の周波数ホッピング系列に変更する制御を行うようにしているので、受信するホッピング周波数の干渉波レベルが大きい移動局では、周波数ホッピング系列が変更され、品質の高い通信を行うことができ、受信するホッピング周波数の干渉波レベルが小さい移動局では、引き続き安定した品質の通信を行うことができ、また、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８２】
つぎの発明によれば、移動局の検出手段が、周波数ホッピング周期毎に各周波数の干渉波レベルを検出し、基地局の制御手段が、前記検出手段が検出した干渉波レベルが所定値を超えた場合に、現周波数ホッピング系列を他の周波数ホッピング系列に変更する制御を行うようにしているので、受信するホッピング周波数の干渉波レベルが大きい移動局では、周波数ホッピング系列が変更され、品質の高い通信を行うことができ、受信するホッピング周波数の干渉波レベルが小さい移動局では、引き続き安定した品質の通信を行うことができ、また、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８３】
つぎの発明によれば、前記制御手段が、前記検出手段が検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更する制御を行うようにしているので、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８４】
つぎの発明によれば、前記制御手段が、前記検出手段が検出した干渉波レベルが所定値を超えた場合に、前記干渉波レベルの履歴を参照し、現周波数ホッピング系列を、前記他の移動局が現在用いていない周波数ホッピング系列であって、かつ前記周波数ホッピング系列群の中から干渉波レベルが最小の周波数ホッピング系列に変更する制御を行うようにしているので、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８５】
つぎの発明によれば、前記制御手段が、前記検出手段が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更する制御を行うようにしているので、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８６】
つぎの発明によれば、前記移動局が、検出工程によって、周波数ホッピング周期毎に各周波数の干渉波レベルを検出し、変更工程によって、前記検出工程によって検出した干渉波レベルが所定値を超えた場合に、現周波数ホッピング系列を他の周波数ホッピング系列に変更するようにしているので、受信するホッピング周波数の干渉波レベルが大きい移動局では、周波数ホッピング系列が変更され、品質の高い通信を行うことができ、受信するホッピング周波数の干渉波レベルが小さい移動局では、引き続き安定した品質の通信を行うことができ、また、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８７】
つぎの発明によれば、検出工程によって、前記移動局が周波数ホッピング周期毎に各周波数の干渉波レベルを検出し、変更工程によって、前記基地局が、前記検出手段によって検出された干渉波レベルが所定値を超えた場合に、現周波数ホッピング系列を他の周波数ホッピング系列に変更するようにしているので、受信するホッピング周波数の干渉波レベルが大きい移動局では、周波数ホッピング系列が変更され、品質の高い通信を行うことができ、受信するホッピング周波数の干渉波レベルが小さい移動局では、引き続き安定した品質の通信を行うことができ、また、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８８】
つぎの発明によれば、前記変更工程が、前記検出工程によって検出した干渉波レベルが所定値を超えた場合に、他の移動局が現在用いていない周波数ホッピング系列であって、かつ予め割り当てられた周波数ホッピング系列番号をもつ周波数ホッピング系列群の中から該周波数ホッピング系列番号の値が最小の周波数ホッピング系列に変更するようにしているので、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００８９】
つぎの発明によれば、履歴保持工程によって、前記基地局が、予め設定された周波数ホッピング系列群の各周波数ホッピング系列に対する過去の干渉波レベルの履歴を保持し、前記変更工程によって、前記検出工程段が検出した干渉波レベルが所定値を超えた場合に、前記干渉波レベルの履歴を参照し、現周波数ホッピング系列を、他の移動局が現在用いていない周波数ホッピング系列であって、かつ前記周波数ホッピング系列群の中から干渉波レベルが最小の周波数ホッピング系列に変更するようにしているので、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【００９０】
つぎの発明によれば、前記変更工程によって、前記検出工程が検出した干渉波レベルが所定値を超えた場合に、現周波数ホッピング系列を、他の移動局が現在用いていない周波数ホッピング系列であって、かつ予め設定された周波数ホッピング系列群の中から現周波数ホッピング系列との相関値が最小の周波数ホッピング系列に変更するようにしているので、一層、高い周波数ダイバーシチ効果を得ることができ、所要希望波対同一周波数干渉電力比を向上することができ、一層高い受信レベルでの通信を行うことができ、品質および信頼性の高い通信を行うことができるという効果を奏する。
【図面の簡単な説明】
【図１】  この発明の実施の形態１である周波数ホッピング通信システムの概要を示す図である。
【図２】  周波数ホッピング系列の変更の一例を示す図である。
【図３】  図１に示した移動局の構成を示すブロック図である。
【図４】  図１に示した移動局の制御部による周波数ホッピング系列変更制御処理手順を示すフローチャートである。
【図５】  この発明の実施の形態２である周波数ホッピング通信システムの移動局の制御部による周波数ホッピング系列変更制御処理手順を示すフローチャートである。
【図６】  この発明の実施の形態３である周波数ホッピング通信システムの移動局の制御部による周波数ホッピング系列変更制御処理手順を示すフローチャートである。
【図７】  この発明の実施の形態４である周波数ホッピング通信システムの移動局の制御部による周波数ホッピング系列変更制御処理手順を示すフローチャートである。
【図８】  従来における周波数ホッピング通信システムの概要を示す図である。
【図９】  周波数ホッピング系列の一例を示す図である。
【図１０】  各移動局における周波数ホッピングのタイミングチャートであ
【図１１】  図８に示した移動局の構成を示すブロック図である。
【符号の説明】
１  アンテナ、２  送信部、３  受信部、４  送受信データ処理部、５  シンセサイザ部、６  干渉波レベル検出部、９  制御部、１０，Ｍ１〜Ｍ３  移動局、２０  基地局、３０  無線セル、ＳＷ  切換部、Ｚ１〜Ｚ７  周波数ホッピング系列。
【図１】
0003913447.tif 000002
【図２】
0003913447.tif 000003
【図３】
0003913447.tif 000004
【図４】
0003913447.tif 000005
【図５】
0003913447.tif 000006
【図６】
0003913447.tif 000007
【図７】
0003913447.tif 000008
【図８】
0003913447.tif 000009
【図９】
0003913447.tif 000010
【図１０】
0003913447.tif 000011
【図１１】
0003913447.tif 000012